(57)【特許請求の範囲】
【請求項１】
断熱性を有する側板、天板および床で覆われている貯蔵室と、
この貯蔵室内を複数の空間に区画するとともに、移動することで空間の大きさを変更することができる間仕切り断熱パネルとを備えている冷却貯蔵庫であって、
前記側板または天板の少なくとも何れか一方には、前記間仕切り断熱パネルの可動範囲に沿って、貯蔵室側の面における結露の発生を防止するヒータが設けられ、
このヒータが、間仕切り断熱パネルの移動方向に複数のヒータエレメントに分割されており、
そして、ヒータエレメントを稼働または停止させるスイッチが各ヒータエレメントに対応して設けられていることを特徴とする冷却貯蔵庫。
【請求項２】
前記間仕切り断熱パネルの位置を検出するセンサーが設けられており、
このセンサーの出力で前記スイッチを駆動して、前記ヒータエレメントを稼働または停止させていることを特徴とする請求項１記載の冷却貯蔵庫。
【発明の詳細な説明】
【０００１】
【発明の属する技術分野】
本発明は、間仕切り断熱パネルで、庫内を複数の空間に仕切り、各空間の設定温度を異ならしめている冷却貯蔵庫に関する。
【０００２】
【従来の技術】
この種の冷却貯蔵庫は、特公昭５９−４２２１９号公報（Ｆ２５Ｄ２３／０６）や、実開昭６３−１６２２８９号公報（Ｆ２５Ｄ２３／０６）などに記載されており、庫内を間仕切り断熱パネルで仕切り、一方の空間を冷凍庫に、他方の空間を冷蔵庫に使用している。この間仕切り断熱パネルは固定されており、冷却貯蔵庫の各空間たとえば冷凍庫や冷蔵庫の容積を変更することができず、貯蔵する物品の量に対応することができなかった。たとえば、冷蔵食品が少なく、冷凍食品が多い場合に、冷蔵庫のスペースを減少させて、冷凍庫のスペースを確保することができなかった。
【０００３】
そこで、図５に図示するような冷却貯蔵庫が検討されている。図５は検討した冷却貯蔵庫の一部切欠き斜視図である。
冷却貯蔵庫の本体である断熱箱体０１の内部には、貯蔵室０２が形成され、この貯蔵室０２は、移動可能な間仕切り断熱パネル０３で例えば２つの空間に区画され、一方が冷蔵室０２ａに、他方が冷凍室０２ｂとなっている。そして、間仕切り断熱パネル０３を移動して、貯蔵する物品の量に応じて、各空間の容積を変更することができる。たとえば、冷蔵食品が少なく、冷凍食品が多い場合には、間仕切り断熱パネル０３を左側すなわち冷蔵室０２ａ側に移動して、冷蔵室０２ａのスペースを減少させて、冷凍室０２ｂのスペースを増大させることができる。
【０００４】
【発明が解決しようとする課題】
ところで、断熱箱体０１の庫内側の面材０１ａが、冷蔵室０２ａと冷凍室０２ｂとの両方にわたって配置されている。この面材０１ａの冷凍室０２ｂ側の部分が冷凍室０２ｂで冷却され、そして、熱伝導により面材０１ａの冷蔵室０２ａ側の部分が低温となる。この低温となった冷蔵室０２ａ側の部分に、冷蔵室０２ａの相対的に温かい空気が触れ、結露が発生する。この様に結露が発生すると、冷蔵室０２ａ内の冷蔵品が、結露水により汚損されることがある。
【０００５】
本発明は、以上のような課題を解決するためのもので、間仕切り断熱パネルで貯蔵室を複数の空間に区画するとともに、空間の大きさを変更することができる冷却貯蔵庫において、間仕切り断熱パネル付近における貯蔵室内面の結露を防止することを目的とする。
【０００６】
【課題を解決するための手段】
本発明の冷却貯蔵庫（１）は、断熱性を有する側板、天板および床で覆われている貯蔵室（４）と、この貯蔵室内を複数の空間（６，７）に区画するとともに移動することで空間の大きさを変更することができる間仕切り断熱パネル（５）とを備えている。そして、側板または天板の少なくとも何れか一方には、間仕切り断熱パネルの可動範囲に沿って、貯蔵室側の面における結露の発生を防止するヒータ（１８）が設けられている。
【０００７】
また、ヒータが、間仕切り断熱パネルの移動方向に複数のヒータエレメント（３１）に分割されており、そして、ヒータエレメントを稼働または停止させるスイッチ（３３）が各ヒータエレメントに対応して設けられている。
【０００８】
さらに、間仕切り断熱パネルの位置を検出するセンサーが設けられており、このセンサーの出力で前記スイッチを駆動して、ヒータエレメントを稼働または停止させている場合がある。
【０００９】
【００１０】
【発明の実施の形態】
次に、本発明における冷却貯蔵庫の比較例を図１ないし図３を用いて説明する。図１は本発明における比較例の冷却貯蔵庫の一部切欠き斜視図である。図２は冷却貯蔵庫の説明図で、（ａ）が冷却貯蔵庫の正面図、（ｂ）が冷却貯蔵庫の平面図、（ｃ）が左側面の断熱パネルを外した状態での冷却貯蔵庫の側面図である。図３は正面から見た冷却貯蔵庫の要部断面図である。なお、図２（ａ）および図２（ｂ）には、間仕切り断熱パネルが２個図示されているが、間仕切り断熱パネルの移動を分かりやすくするためで、実際には１個のみが設けられている。また、図２（ａ）および図２（ｂ）においては、ヒータの図示が省略されている。
【００１１】
冷却貯蔵庫であるプレハブ冷凍冷蔵庫１の本体である断熱箱体２は、前面、後面および左右側面を覆う側板と、上面を覆う天板と、下面を覆う床板とで構成されており、側板、天板および床板は、断熱性を有する本体用断熱パネルであるプレハブパネル３を複数連結して構成されている。このプレハブパネル３は、ステンレス板やアルミ板などの金属板または他の材質の板からなる内外一対の面材３ａを間隔を開けて配置し、この両面材３ａ間の空間に硬質発泡ポリウレタン等の断熱材３ｂを充填して構成されている。
【００１２】
そして、プレハブ冷凍冷蔵庫１の内部は貯蔵室４となっており、間仕切り断熱パネル５で２個の空間に仕切られて区画されている。そして、各空間の設定温度は異なり、たとえば、一方すなわち左側の空間が冷蔵庫６となり、他方の空間が冷凍庫７となっている。また、冷蔵庫６および冷凍庫７の内部には、庫内を冷却する冷却装置が各々備えられている。そして、プレハブ冷凍冷蔵庫１の正面には一対の開口部が形成されて、各開口部に断熱扉８，９が開閉自在に設けられており、一方すなわち左側の断熱扉８を開けると、冷蔵庫６に出入りができ、他方の断熱扉９を開けると、冷凍庫７に出入りができる。
【００１３】
つぎに、間仕切り断熱パネル５の詳細について説明する。間仕切り断熱パネル５における一方の空間に面している面すなわち冷蔵庫６側の面には、間仕切り断熱パネル５を移動するための把手１１が設けられている。また、冷蔵庫６側の面のサイドには、間仕切り断熱パネル５を固定するための係合部材であるカンヌキ１２が計４個、進退自在に設けられている。さらに、間仕切り断熱パネル５には、空間に面している両側の面すなわち冷蔵庫６側の面および冷凍庫７側の面のサイドの下部に、車輪支持部材１３が各空間に突出して計４個取り付けて固定されている。この車輪支持部材１３には各々、間仕切り断熱パネル移動用の車輪１４が設けられており、間仕切り断熱パネル５は自立して移動することができる。また、間仕切り断熱パネル５の端面には、全周にわたってパッキン１６が設けられている。
【００１４】
一方、間仕切り断熱パネル５の端面に対向する前側、後側および上側のプレハブパネル３には各々、庫内側の面材３ａの内側にヒータ１８が略全面に蛇行して配設されている。なお、このヒータ１８は庫外側の面材３ａよりも庫内側の面材３ａの方へ片寄って配置されている。この様にして、ヒータ１８は間仕切り断熱パネル５の可動範囲を少し越して、すなわち可動範囲およびその付近に配設されている。また、このヒータ１８の図示しない電源用配線は、プレハブパネル３の庫外側に延びて、冷凍冷蔵庫１の外の電気コンセントなどに接続されている。したがって、ヒータ１８の電源用配線が貯蔵室４内に設けられることはなく、貯蔵室４に物品を収納する際に、電源用配線が妨げとなることはない。
【００１５】
さらに、間仕切り断熱パネル５の端面に対向する前側および後側のプレハブパネル３には各々、間仕切り断熱パネル５の移動方向に沿って多数の係止凹部２１が上下に２段形成されている。この係止凹部２１は、庫内側の端部が、断熱箱体２の内面に略面一となるように、断熱箱体２の断熱壁であるプレハブパネル３に略埋没した状態で形成されている。そして、前述のカンヌキ１２の先端部が係止凹部２１に進退して係合離脱する。また、断熱箱体２の床である床壁の上には、間仕切り断熱パネル５の車輪１４の可動範囲に対応してヒータボックス２６が設けられている。このヒータボックス２６の内部にはヒータが収納されており、ヒータボックス２６のサイドには各々、車輪１４が嵌まり込んで案内されるガイド溝２７が長く、かつヒータボックス２６本体に一体に形成されている。また、ヒータボックス２６が設けられている部分以外における断熱箱体２の床上には、スノコ２９が載置されている。そして、ヒータボックス２６の上面と、スノコ２９の上面とは、略同じ高さである。
【００１６】
この様にして構成されているプレハブ冷凍冷蔵庫１は、間仕切り断熱パネル５の把手１１を掴んで引っ張ったり押したりすることにより、間仕切り断熱パネル５を移動する。たとえば、間仕切り断熱パネル５を左側すなわち冷蔵庫６側に移動すると、一方の空間である冷蔵庫６の容積が減少し、他方の空間すなわち冷凍庫７の容積が増大する。この様にして、収納する物品に応じて、空間の容積を変更することができる。そして、間仕切り断熱パネル５を所定の位置に移動すると、カンヌキ１２を係止凹部２１に進出させて係合させ、間仕切り断熱パネル５を固定する。再度、間仕切り断熱パネル５を移動する際には、カンヌキ１２を引っ込めて係止凹部２１から離脱させ、間仕切り断熱パネル５の移動を許容する。
【００１７】
ところで、間仕切り断熱パネル５の端面に対向している側板および天板のプレハブパネル３は、その面材３ａが冷蔵庫６および冷凍庫７の両方にわたって配置されている。したがって、ヒータ１８が設けられていないと、面材３ａの冷凍庫７側の部分が冷却され、熱伝導で面材３ａの冷蔵庫６側の部分も低温となる。そして、相対的に温度が高い冷蔵庫６の空気が、この低温となった面材３ａに触れて、プレハブパネル３の庫内側の面に結露する。しかしながら、この比較例では、間仕切り断熱パネル５の移動方向に沿った断熱箱体２の部分すなわち間仕切り断熱パネル５に対向するプレハブパネル３の内部にヒータ１８が設けられており、このヒータ１８で側板および天板のプレハブパネル３の面材３ａが温められている。したがって、プレハブパネル３の庫内側の面における結露の発生を防止することができる。また、断熱箱体２の床上には、ヒータボックス２６が設けられているので、床における結露の発生も防止することができる。
【００１８】
次に、本発明における冷却貯蔵庫の実施の形態について図４を用いて説明する。図４は本発明における実施の形態の冷却貯蔵庫の一部切欠き斜視図である。なお、この実施の形態の説明において、前記比較例の構成要素に対応する構成要素には同一符号を付して、その詳細な説明は省略する。
【００１９】
図４は、比較例の図１に対応する図であり、間仕切り断熱パネル５の端面に対向する前側、後側および上側のプレハブパネル３の内部に各々、配設されているヒータ１８が、間仕切り断熱パネル５の移動方向に複数のヒータエレメント３１に分割されている。また、間仕切り断熱パネル５の位置を検出する近接スイッチ３３が、各ヒータエレメント３１毎に対応して設けられている。この近接スイッチ３３は、ヒータエレメント３１を稼働または停止させるＯＮ−ＯＦＦスイッチの機能と、間仕切り断熱パネル５の位置を検出するセンサーの機能とを有している。
【００２０】
そして、冷蔵庫６と冷凍庫７との容積を変更するために間仕切り断熱パネル５を移動すると、間仕切り断熱パネル５の移動前の位置付近に設けられている近接スイッチ３３は間仕切り断熱パネル５が離れたことを検出してＯＦＦし、対応するヒータエレメント３１すなわち間仕切り断熱パネル５の端面に略対向していたヒータエレメント３１への通電を遮断して停止させる。また、間仕切り断熱パネル５の移動後の位置付近に設けられている近接スイッチ３３は間仕切り断熱パネル５の近接を検出してＯＮし、検出した場合には対応するヒータエレメント３１すなわち間仕切り断熱パネル５の端面に略対向しているヒータエレメント３１へ通電させて稼働させる。この様に、間仕切り断熱パネル５の移動に伴って、対応するヒータエレメント３１が稼働または停止され、結露を防止するのに必要なヒータエレメント３１のみが稼働される。
【００２１】
この様に、実施の形態では、ヒータ１８が間仕切り断熱パネル５の移動方向に複数のヒータエレメント３１に分割されており、結露を防止するのに必要なヒータエレメント３１のみを稼働することができる。したがって、比較例の様に、間仕切り断熱パネル５の移動方向に沿った断熱箱体２の内面（すなわちプレハブパネル３の庫内側の面）の全面を加熱している場合よりも、結露を防止する熱エネルギーを減少させることができる。また、ヒータ１８で貯蔵室４が加熱されることが減少し、、貯蔵室４の冷却効率が向上する。
【００２２】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、冷却貯蔵庫はプレハブ冷凍冷蔵庫であるが、必ずしも、プレハブ構造である必要はない。また、一方の空間が冷蔵庫６で、他方の空間が冷凍庫７であるが、必ずしも、冷凍冷蔵庫に限定されず、たとえば、両空間を設定温度の異なる冷凍庫にすることも可能である。さらに、両空間の設定温度を同じにする事も可能である。ただし、その場合には、ヒータは停止させておくことができる。また、間仕切り断熱パネルを複数設け、空間を３個以上形成することも可能である。
（２）間仕切り断熱パネル５に、空間間を出入りするための扉を設けることも可能である。また、間仕切り断熱パネル５に送風機を設け、この送風機で一方の空間から他方の空間に冷気を移動できる構造として、１個の冷却器で複数の空間を冷却することも可能である。
【００２５】
（３）プレハブパネル３のヒータ１８と、パッキン１６のヒータとを両方採用することも可能である。たとえば、前側および後側のプレハブパネル３をプレハブパネル３のヒータ１８で、天板のプレハブパネル３をパッキン１６のヒータで加熱する事も可能である。
（４）実施の形態においては、ヒータは電気ヒータであるが、電気以外のエネルギー源で稼働されるヒータでも可能である。
【００２６】
（５）実施の形態においては、間仕切り断熱パネル５に対向しているヒータエレメント３１が稼働されているが、プレハブパネル３などの結露を防止することができるならば、稼働するヒータエレメント３１は適宜選択可能である。たとえば、間仕切り断熱パネル５に対向しているヒータエレメント３１ではなく、それよりも、冷蔵庫６側のヒータエレメント３１を加熱することも可能である。また、ヒータエレメント３１と近接スイッチ３３とは、１対１で対応する必要は必ずしもない。
（６）実施の形態においては、ヒータエレメント３１の稼働停止は、近接スイッチ３３で行われている。この近接スイッチ３３はセンサー機能とスイッチ機能とを有しているが、センサーとスイッチとを別個に設けることも可能である。この様にして、間仕切り断熱パネル５の位置を検出するセンサーの出力でスイッチを作動させることができる。また、近接スイッチ３３ではなく、他の形式のスイッチやセンサーを用いることも可能である。さらに、手動のスイッチで行うことも可能である。なお、センサーを用いると、スイッチの切替えが自動的に行われ、切替え忘れなどの操作ミスを防止することができる。
【００２７】
（７）実施の形態においては、ヒータ１８は間仕切り断熱パネル５の可動範囲を少し越して配設されているが、断熱箱体２の庫内側の面の結露を防止することができるならば、ヒータ１８が配設されている範囲は適宜変更可能である。たとえば、間仕切り断熱パネル５の移動範囲と略同じ大きさにすることも可能である。ただし、結露を防止するためには、間仕切り断熱パネル５の可動範囲に沿って全面または部分的に配設する必要がある。
【００２８】
【発明の効果】
本発明によれば、間仕切り断熱パネルが移動することができるので、間仕切り断熱パネルで仕切られた空間の大きさを、収納する物品の量に応じて変更することができる。そして、側板または天板の少なくとも何れか一方には、間仕切り断熱パネルの可動範囲に沿って、貯蔵室側の面における結露の発生を防止するヒータが設けられているので、間仕切り断熱パネルの位置が変更されても、間仕切り断熱パネル付近で生じる結露を防止することができる。
【００２９】
また、ヒータが、間仕切り断熱パネルの移動方向に複数のヒータエレメントに分割されており、そして、ヒータエレメントを稼働または停止させるスイッチが各ヒータエレメントに対応して設けられている。したがって、間仕切り断熱パネルの位置に対応して、結露を防止するのに最適なヒータエレメントを稼働させることができ、そして、他のヒータエレメントを停止することができる。その結果、結露防止に必要なエネルギーコストを削減することができ、かつ、貯蔵室の冷却効率も向上させることができる。
【００３０】
さらに、間仕切り断熱パネルの位置を検出するセンサーが設けられており、このセンサーの出力で前記スイッチを駆動して、ヒータエレメントを稼働または停止させている場合がある。この場合には、センサーからの信号で、自動的にヒータエレメントを稼働または停止することができるので、ヒータエレメントのスイッチの入れ忘れ、切り忘れを防止することができる。
【図面の簡単な説明】
【図１】  図１は本発明における比較例の冷却貯蔵庫の一部切欠き斜視図である。
【図２】  図２は冷却貯蔵庫の説明図で、（ａ）が冷却貯蔵庫の正面図、（ｂ）が冷却貯蔵庫の平面図、（ｃ）が左側面の断熱パネルを外した状態での冷却貯蔵庫の側面図である。
【図３】  図３は正面から見た冷却貯蔵庫の要部断面図である。
【図４】  図４は本発明における実施の形態の冷却貯蔵庫の一部切欠き斜視図である。
【図５】  図５は検討した冷却貯蔵庫の一部切欠き斜視図である。
【符号の説明】
１  冷凍冷蔵庫（冷却貯蔵庫）
４  貯蔵室
５  間仕切り断熱パネル
６  冷蔵庫（空間）
７  冷凍庫（空間）
１８  ヒータ
３１  ヒータエレメント
３３  近接スイッチ
【図１】
0003695862.tif 000002
【図２】
0003695862.tif 000003
【図３】
0003695862.tif 000004
【図４】
0003695862.tif 000005
【図５】
0003695862.tif 000006